(57)【要約】      （修正有）【課題】２つ以上の貫通孔の距離の寸法精度のバラツキを吸収することができる水栓装置を提供すること【解決手段】水栓装置１０は、吐水管１８６を含み、前記吐水管の内側に、ベース部品と、給水管１８と、前記ベース部品の上側に設けられた制御部を構成する電気部品とを備え、電気部品は、前記ベース部品に固定された切換装置を含み、前記切換装置と前記ベース部品とは、前記切換装置の軸方向または径方向の側面に設けられた取付部を、前記ベース部品に設けられた取付部に取り付けることにより連結されており、前記切換装置は、前記吐水管に設けられた貫通孔１９０から、前記切換装置の上面が露出するように形成され、前期貫通孔のうち少なくとも一つは、貫通孔から露出する部分との間に隙間があくように形成されている、水栓装置である。【選択図】図１
2020111972.tif 000002
【特許請求の範囲】
【請求項１】
吐水管の表面に設けられた吐水または止水を切換える切換装置からの切換情報に基づいて吐水口から自動的に吐水または止水する水栓装置であって、
前記水栓装置は、吐水管を含み、
前記吐水管の内側に、ベース部品と、給水管と、前記ベース部品の上側に設けられた制御部を構成する電気部品とを備え、
前記制御部を構成する電気部品は、前記ベース部品に固定された前記切換装置を含み、
前記切換装置と前記ベース部品とは、前記切換装置の軸方向または径方向の側面に設けられた取付部を、前記ベース部品に設けられた取付部に取り付けることにより連結されており、
前記切換装置は、前記吐水パイプに設けられた貫通孔から、前記切換装置の上面が露出するように形成され、前期貫通孔のうち少なくとも一つは、貫通孔から露出する部分との間に隙間があくように形成されたことを特徴とする、水栓装置。
【請求項２】
吐水管の表面に設けられた吐水または止水を切換える切換装置からの切換情報に基づいて吐水口から自動的に吐水または止水する水栓装置であって、
前記水栓装置は、吐水管を含み、
前記吐水管の内側に、ベース部品と、給水管と、前記ベース部品の上側に設けられた制御部を構成する電気部品とを備え、
前記制御部を構成する電気部品は、前記ベース部品に固定された前記切換装置を含み、
前記切換装置と前記ベース部品とは、前記切換装置の軸方向または径方向の側面に設けられた取付部を、前記ベース部品に設けられた取付部に取り付けることにより連結されており、
前記切換装置は、前記吐水管に設けられた貫通孔から、前記切換装置の上面が露出するように形成され、
前記ベース部品の取り付け部の一つは、前記切替装置に設けられた取付部の嵌め込み突部よりも大きく開口部が設けられ、かつ、前期切替装置のうち少なくとも一つの嵌め込み突部がベース部に取り付けられたとき、切換装置がベース部品の上で移動することが可能なように、切替装置の取り付け部及びベース部品の取付部が形成されたことを特徴とする、水栓装置。
【請求項３】
前記切換装置に設けられた取付部は、大径の円柱状部と上側及び／又は下側に形成された柱状部とを有する嵌め込み突部により構成されており、
前記ベース部品に設けられた取付部は、前記ベース部品の軸方向に沿って形成され、
前記ベース部品を正面から見て、上側が細くなる挟抱片が形成されており、
前記挟抱片の少なくとも一つは、前記切換装置に設けられた取付部の大径の柱状部分よりも大きく開口部が設けられ、かつ、前記切換装置のうち少なくとも一つの嵌め込み突部が取り付けられたとき、切換装置がベース部品の上で移動することが可能なように、切換装置の取付部及びベース部品の取付部が形成されたことを特徴とする、請求項２に記載の水栓装置。
【発明の詳細な説明】
【技術分野】
【０００１】
この発明は、水栓装置に関し、特に、例えば、センサーによる人体検知に基づいて吐水口から自動的に吐水するように構成された水栓装置に関する。
【背景技術】
【０００２】
現在、センサーによる人体検知に基づいて、吐水口から自動的に吐水するように形成された、水栓装置が広く用いられている。
ところが、長尺状のパイプ形状のものに横穴を２個以上開けて、その横穴にセンサーやボタンを配置する構造とする場合、2個以上のセンサーやボタンを何らかの部材固定して、そのパイプに組み込むこととなる。その場合、パイプの横穴の間の距離の寸法精度とセンサー側の固定部材の寸法精度の両方が良くないと、組み付けができない。そして、ボタンの動作を阻害するなどの不具合が起きる。
【先行技術文献】
【特許文献】
【０００３】
【特許文献１】特許第５０７８５７５号公報
【特許文献２】特許第４５００１９６号公報
【発明の開示】
【発明が解決しようとする課題】
【０００４】
この発明は、上記事情に鑑みなされたもので、２つ以上の貫通孔の距離の寸法精度のバラツキを吸収することができる水栓装置を提供することである。
【課題を解決するための手段】
【０００５】
本発明にかかる水栓装置は、吐水管の表面に設けられた吐水または止水を切換える切換装置からの切換情報に基づいて吐水口から自動的に吐水または止水する水栓装置であって、
前記水栓装置は、吐水管を含み、
前記吐水管の内側に、ベース部品と、給水管と、前記ベース部品の上側に設けられた制御部を構成する電気部品とを備え、
前記制御部を構成する電気部品は、前記ベース部品に固定された前記切換装置を含み、
前記切換装置と前記ベース部品とは、前記切換装置の軸方向または径方向の側面に設けられた取付部を、前記ベース部品に設けられた取付部に取り付けることにより連結されており、
前記切換装置は、前記吐水管に設けられた貫通孔から、前記切換装置の上面が露出するように形成され、前期貫通孔のうち少なくとも一つは、貫通孔から露出する部分との間に隙間があくように形成されたことを特徴とする、水栓装置である。
また、本発明にかかる水栓装置は、吐水管の表面に設けられた吐水または止水を切換える切換装置からの切換情報に基づいて吐水口から自動的に吐水または止水する水栓装置であって、
前記水栓装置は、吐水管を含み、
前記吐水管の内側に、ベース部品と、給水管と、前記ベース部品の上側に設けられた制御部を構成する電気部品とを備え、
前記制御部を構成する電気部品は、前記ベース部品に固定された前記切換装置を含み、
前記切換装置と前記ベース部品とは、前記切換装置の軸方向または径方向の側面に設けられた取付部を、前記ベース部品に設けられた取付部に取り付けることにより連結されており、
前記切換装置は、前記吐水管に設けられた貫通孔から、前記切換装置の上面が露出するように形成され、
前記ベース部品の取り付け部の一つは、前記切替装置に設けられた取付部の嵌め込み突部よりも大きく開口部が設けられ、かつ、前期切替装置のうち少なくとも一つの嵌め込み突部がベース部に取り付けられたとき、切換装置がベース部品の上で移動することが可能なように、切替装置の取り付け部及びベース部品の取付部が形成されたことを特徴とする、水栓装置である。
本発明にかかる水栓装置は、前記切換装置に設けられた取付部は、大径の円柱状部と上側及び／又は下側に形成された柱状部とを有する嵌め込み突部により構成されており、
前記ベース部品に設けられた取付部は、前記ベース部品の軸方向に沿って形成され、
前記ベース部品を正面から見て、上側が細くなる挟抱片が形成されており、
前記挟抱片の少なくとも一つは、前記切換装置に設けられた取付部の大径の柱状部分よりも大きく開口部が設けられ、かつ、前記切換装置のうち少なくとも一つの嵌め込み突部が取り付けられたとき、切換装置がベース部品の上で移動することが可能なように、切換装置の取付部及びベース部品の取付部が形成されていることが好ましい。  
【発明の効果】
【０００６】
この発明によれば、吐水管または電気部品などの固定部材の寸法精度が悪くても、寸法のばらつきを吸収して、電気部品のボタンの動作を阻害するなどの不具合を防止することができる。
【図面の簡単な説明】
【０００７】
【図１】本発明の一実施形態である水栓装置を示す斜視図解図である。
【図２】図1図示実施の形態のベース部品と電気部品とケーブル等を示す断面図解図である。
【図３】キャビネットに取り付けられた水栓装置の一部を断面とした図解図である。
【図４】キャビネットに取り付けられた水栓装置の断面図解図である。
【図５】吐水管の要部を示す断面図解図である。
【図６】(A)は、図2A-A断面図解図、(Ｂ)は、図2Ｂ-Ｂ断面図解図である。
【図７】(A)は、図2C-C断面図解図、(Ｂ)は、図2D-D断面図解図である。
【図８】電気部品を取り付けたベース部品の斜視図解図である。
【図９】電気部品を取り付けたベース部品の斜視図解図である。
【図１０】ベース部品、電気部品及びホースガイドを示す図であり、(A) は、平面図解図であり、(B) は、底面図解図である。
【図１１】ベース部品及び電気部品の側面図解図である。
【図１２】ベース部品に電気部品取り付ける方法を示す平面図解図である。
【図１３】水栓装置の側面図解図である。
【図１４】吐水管と吐水ヘッドとの関係を示す断面図解図である。
【図１５】ベース部品の構造を示す正面略図である。
【図１６】水栓装置の図解図である。
【発明を実施するための形態】
【０００８】
次に本発明に係るキッチン用の自動水栓に適用した実施の形態について、図面に基づいて詳細に説明する。
本発明にかかる水栓装置１０は、湾曲部分を有する環状部材１２と、
前記環状部材１２の先端に設けられた吐水ヘッド１４と、
前記環状部材１２及び/又は吐水ヘッド１４に取り付けられる電気部品１６と、
前記吐水ヘッド１４に連結されるとともに、前記環状部材１２の内部に出し入れ移動可能に挿通された給水管１８と、
前記電気部品１６に接続されたケーブル２０と、
前記環状部材１２の環状内側に配設されたベース部品２２とを備え、
前記電気部品１６のケーブル２０が前記環状部材１２の内部に配線された水栓である。
【０００９】
キッチンのキャビネット２００は、カウンター（取付基台）２０２であり、このカウンター２０２の上に起立する状態で水栓１０の本体部１８０と吐水管１８６とが設けられている。吐水管１８６は、図２に示しているように、ほぼＣの字状に湾曲している、グースネック形状を形成している。
【００１０】
吐水管１８６は、湾曲部分を有する環状部材１２と、前記環状部材１２の先端に着脱可能に設けられた吐水ヘッド１４とを有している。
図２に示すように、吐水管１８６の先端側の内部には、電気部品１６としての第１切換装置３０，第２切換装置４０，第３切換装置５０及び連結部品６０が配置されている。
電気部品１６は、環状部材１２に設けられ、水栓使用者の人体、指等の物体を非接触又は接触により検出するセンサ部を構成する基板を備えている。
電気部品１６は、環状部材１２の先端側の上部に形成された貫通孔１９０に嵌合されるとともに、貫通孔１９０を通じて、その一部が環状部材１２の外面側に露出している。
【００１１】
また、電気部品１６は、センサ部を構成する基板等に接続されて、センサ部等による検出に基づく信号の伝達やセンサ部等に電力を供給するケーブル２０に接続されている。
ケーブル２０は、吐水管１０６の環状部材１２の内部を通り、カウンタ２０２の下部において、所定の弛みを持たせた状態で、カウンタ２０２（図示略）に設けられた電源基板２１２及びＡＣアダプタ２１４にそれぞれ接続されている。
【００１２】
前記ベース部品２２は、前記ベース部品２２の外周に前記ケーブル２０を保持するとともにベース部品２２を環状部材１２の環状内側において移動をすることを阻止するための取付本体部８０が設けられるとともに、ベース部品２２を環状部材１２の環状内側において移動をすることを阻止するためのガイド部８２が設けられている。
前記ベース部品２２の取付本体部８０及びガイド部８２は、吐水ヘッド１４から離れるに従ってその径が短くなるテーパー状の環状部材１２の内部において、吐水ヘッド１４から離れるに従って環状部材１２の内側に引っ掛かり環状部材１２の長手方向への移動を規制する長手方向規制部を構成している。
【００１３】
前記ベース部品２２は、前記環状部材１２の内部において、ベース部品２２を取り付ける取付本体部８０を備え、前記取付本体部８０は、前記長手方向規制部として作用する。
前記ベース部品２２は、前記取付本体部８０には、前記環状部材１２の内部に当接して長手方向規制部として作用する断面円弧状のガイド部８２が幅方向の端部から突設されている。
前記ベース部品２２は、環状部材１２のほぼＣの字状に湾曲した形状に沿った正面視円弧状の取付本体部８０を形成されている。
【００１４】
前記ベース部品２２は、電気部品１６側の先端と環状部材１２の後端側（すなわち水栓の本体部１８０に取り付けられる側）の後端との間における取付本体部８０の円弧に対応する中心角が９０度を超えるように形成されている。
ベース部品２２は、環状部材１２の孔の中における長さを、電気部品１６側の先端と環状部材１２の後端側の後端との間の正面視円弧に対応する中心角が１２０度を超える長さにすることにより、環状部材１２の貫通孔１９０に嵌合される電気部品１６の電気部品取付部１２０とケーブル２０を固定するベース部品２２の後端部とを離して、環状部材１２の内径に沿ったガイド部８２が設けられている。ベース部品２２のその構成により、ケーブル２０がベース部品２２の後端方向に引っ張られた時には、ベース部品２２のガイド部８２が環状部材１２の内部に引っかかり、環状部材１２側に負荷を逃がすことができる。
【００１５】
ケーブル２０は、電力が供給される給電線、センサ部を構成する基板等による検出に基づく電気信号が伝達される信号線等の複数の電線を並列状態でモールドして、円形ないしは扁平形状に形成されている。
また、ケーブル２０は、連結部品６０に接続される側の第１コードと、電源基板２１２及びＡＣアダプタ２１４に接続される側の第２コードとを含み、各コードの端部と連結部品６０とが接続され、連結部品６０と第３切換装置５０との間、第３切換装置５０と第２切換装置４０との間、第２切換装置４０と第１切換装置３０との間が、接続部品５０a、４０a及び３０aにより接続されている。
【００１６】
電気部品１６のセンサ部等により水栓使用者の人体、指等の物体が非接触又は接触により検出されると、その検出に基づく信号がケーブル２０を介して電磁弁ユニット２１０に伝達される。そして、センサ部等により検出された電気信号に基づいて、電磁弁ユニット２１０が動作して、吐水管１８６からの吐止水が切換えられる。
【００１７】
図４に示すように、吐水管１８６の環状部材１２の内部において、ケーブル２０は、環状部材１２の内面とベース部品２２との間の空間に配線されている。また、図２に示すように、ケーブル２０は、環状部材１２の湾曲部分の内部におけるベース部品２２の取付本体部８０の側方に配設された連結部品６０に接続するように、配設される。すなわち、環状部材１２の湾曲部分の上側から下方に下がった位置において、連結部品６０が位置するように、ベース部品２２のベース部１００の上面で、ガイド部８２を避けた位置に配設されている。
【００１８】
図２及び図９に示すように、本実施形態の水栓１０は、上記の特定位置にケーブル２０が配線されるように、ケーブル２０をベース部品２２の外周に保持させるケーブル保持部９０を備えている。ケーブル保持部９０は、ベース部品２２の取付本体部８０の上部に形成されたケーブル固定部たる突出部９２及びケーブル係止部９４を含み、環状部材１２の環状内側の上方に位置するように形成されている。
【００１９】
ベース部品２２は、取付本体部８０の上面において、吐水ヘッド１４側及び吐水ヘッド１４とは離れる側の後端近傍（水栓の本体部１８０に取り付けられる側の近傍）にケーブル２０を固定するケーブル保持部９０を構成する突出部９２が設けられている。又、吐水ヘッド１４とは離れる側の後端近傍にケーブル２０を固定するケーブル保持部９０を構成するケーブル係止部９４が突設されている。
ケーブル２０を固定するケーブル保持部９０を構成する突出部９２は、一対の脚部９６ａ及び９６ｂの上に架設部９６ｃがかけ渡された断面Ｃの字型であり、脚部９６ａと脚部９６ｂとの間に、結束バンド、紐等を通して、ケーブル２０を結わえて止めるように構成されている。
ケーブル２０を固定するケーブル保持部９０を構成するケーブル係止部９４は、脚部９８ａの上部に脚部９８ａより大経の頭部９８ｂが突設されており、脚部９８ａにケーブル２０を係止することができるように構成されている。
【００２０】
前記した取付状態において、ベース部品２２の取付本体部８０の吐水ヘッド１４側の上面に形成されたケーブル保持部９０にケーブル２０が適宜紐などで結わえ付けられ、連結部品６０に連結されたケーブル２０の端部と、ケーブル保持部９０に固定されたケーブル２０の部位との間が一定の距離に固定され、その間のケーブル２０の長さが変化することがないように形成されている。
【００２１】
更に、ケーブル２０は、ベース部品２２の取付本体部８０に形成されたケーブル保持部９０に、紐等で、結わえ付けられた後に、２本のケーブル係止部９４の周りに周回させて係止させる。
この実施の形態においては、一方のケーブル係止部９４の周りに周回させた後に、反転させて２本のケーブル係止部９４の間を通し、他方のケーブル係止部９４の周りを周回させて反転させ、ベース部品２２の後端側のケーブル保持部９０に、紐等で結わえ付けた後に、キャビネット２００の中の電源基板２１２に、連結する。
従って、ケーブル２０を配設した状態で、ベース部品２２を環状部材１２の中に挿入するとき、例え、ケーブル２０を引っ張っても、ケーブル２０は、ベース部品２２に固定され、且つ、ベース部品２２は後端に向かうに従って、先細になっているために環状部材１２に適宜な位置で固定することができる。
それゆえに、ケーブル２０が、連結部品６０との連結部位で、連結部品６０から離れることがない。
【００２２】
ベース部品２２は、環状部材１２の環状内側に、環状部材１２の吐水ヘッド１４側の第一端部側の開口部から取付本体部８０を挿入することにより、環状部材１２に取り付けられる。
ベース部品２２を、環状部材１２の環状内側の中央付近において取付本体部８０を位置させて、且つ、ガイド部８２を環状部材１２の環状内側の下に位置させて、吐水ヘッド１４から離れる側である後端方向に挿入する。
ベース部品２２は、環状部材１２の吐水ヘッド１４から離れる側である後端である第二端部側の開口部に近ずくに従って、取付本体部８０が幅狭となった環状部材１２の内周壁面に当接し、環状部材１２の長手方向の適宜な位置において固定され、且つベース部品２２のガイド部８２が環状部材１２の下側壁面１２ａ及び１２ｂに当接することにより、環状部材１２の主方向における適宜な位置において固定される。
【００２３】
上記の取り付け状態においては、環状部材１２の環状内側における平面視左右の端部側に、ベース部品２２の取付本体部８０幅方向における端部８０ｃ及び８０ｄが当接することにより、環状部材１２に対するベース部品２２の長手方向の一方側（環状部材１２の吐水ヘッド１４から離れる側の後端側）への移動が規制される。
そして、環状部材１２の環状内側における下側壁面１２ａ及び下側壁面１２ｂ側に、ベース部品２２のガイド部８２が当接すること、及びベース部品２２のガイド部８２が当接することにより、環状部材１２に対するベース部品２２の周方向の方側（環状部材１２の下方側）への移動が規制される。
【００２４】
すなわち、ベース部品２２は、環状部材１２の右側壁１２ａ及び左側壁１２ｂが下方に向かうに従って幅狭となること及びベース部品２２のガイド部８２が幅狭となった環状部材１２の右側壁１２ａ及び左側壁１２ｂに当接することによって回転しなくなるために、周方向規制部として機能する。
又、環状部材１２の内周壁が吐水ヘッド１４から離れるに従って幅狭となるテーパー状であるために、ベース部品２２のケーブル保持部９０が環状部材１２の内周壁面に当接することによって、環状部材１２に対するベース部品２２の軸方向(長さ方向)の移動が規制される長手方向規制部として機能する。
したがって、本実施形態においては、環状部材１２の下側壁面１２ａ及び下側壁面１２ｂ並びにベース部品２２のガイド部８２が周方向規制部として機能する。
また、環状部材１２における後部側に、ベース部品２２の取付本体部８０が当接することにより、環状部材１２に対するベース部品２２の軸方向（長さ方向）の移動を規制する、長手方向規制部として機能する。
【００２５】
ベース部品２２の取付本体部８０の下部には、給水管１８の吐水ヘッド１４側の端部の近傍を保持するホースガイド８６が付設されている。ホースガイド８６は、環状部材１２の内側において、給水管１８が吐水ヘッド１４の側に出入できるように給水管１８を保持する。給水管１８の吐水ヘッド１４側には、吐水ヘッド１４を構成するシャワーヘッドが連結されている。吐水ヘッド１４と給水管１８との連結部分は、給水管１８がホースガイド８６に収納された状態のとき、ほぼ環状部材１２の先端すなわち第１切換装置３０が位置する先端部分に位置するように構成されている。
【００２６】
環状部材１２は、吐水ヘッド１４側に、平面視方形の貫通孔１９０が、手前側と向こう側とに前後一対穿設されている。
貫通孔１９０は、吐水ヘッド１４側の第１貫通孔１９２と、第１貫通孔１９２より向こう側の第２貫通孔１９４とを備える。特に、第２貫通孔１９４は、ベース部品２２の長手方向において、第２切換装置４０のボタン表面部材４６の第１貫通孔１９２から突き出る部分の長さより、第２貫通孔１９４におけるベース部品２２の長手方向の長さの方が僅かに長くなるように形成されている。
【００２７】
環状部材１２の先端には、第１切換装置３０が設けられている。第１切換装置３０は、例えば、発光部と受光部を有する赤外線式測距センサである。第１切換装置３０は、発光部から吐水ヘッド１４の吐水口７０の下方に光を投光し、投光した光による使用者の手または食器等の被検知物からの反射光を受光部で受光し、所定の検知エリア内に被検知物があるか否かを検知する。第１切換装置３０は、被検知物の検知結果を示す信号を、電源基板２１２の制御部に出力する。
【００２８】
第１切換装置３０は、光センサにより構成され、第１切換装置基板３２が第１切換装置ケース３４の中に収納され、第１切換装置ケース３４は、連結部材をもってベース部１００に固定されている。第１切換装置３０は、人体の手または食器等を検知して、吐水と止水とを切り替えるように構成されている。
【００２９】
第２切換装置４０は、第１切換装置３０が反応しないようにするためのスイッチであり、ボタンスイッチをもって構成されている。使用者から見て吐水ヘッド１４の向こう側、かつ第３切換装置５０よりも手前側には、押しボタン式の第２切換装置４０が設けられている。第２切換装置４０がオフにされているときは、第１切換装置３０は作動せず、第１切換装置３０の下方に物体が存在しても吐水口７０から給水されることはない。
【００３０】
第２切換装置４０は、第２切換装置基板４２、第２切換装置ケース４４、及びボタン表面部材４６を備える。
第２切換装置４０は、ボタンスイッチの第２切換装置基板４２が第２切換装置ケース４４に取り付けられている。
第２切換装置ケース４４は、第２切換装置基板４２を覆うようにボタン表面部材４６が移動可能に取り付けられている。
【００３１】
ボタン表面部材４６は、環状部材１２の第１貫通孔１９２に、嵌装されている。第１貫通孔１９２に嵌装されたボタン表面部材４６の外周縁と第１貫通孔１９２の開口縁との間には、若干の隙間がある。
第２切換装置ケース４４のボタン表面部材４６は、環状部材１２に形成された第１貫通孔１９２より  僅かに突き出ている。
【００３２】
第３切換装置５０は、連続吐水と止水とを切り換えるセンサであり、光センサにより構成されている。光センサを構成する第３切換装置基板は、第３切換装置ケースに取り付けられている。なお、第１切換装置３０では、検知エリア内で被検知物が検知されている間だけ、吐水口７０から給水を行うように制御される。それに対し、第３切換装置５０では、一旦検知エリア内で被検知物が検知されると、その後被検知物が検知されなくなっても吐水口７０からの給水が継続される。検知エリア内でもう一度被検知物が検知されると、吐水口７０からの給水が停止される。
【００３３】
第３切換装置５０は、第３切換装置基板５２、第３切換装置ケース５４を備える。
第３切換装置ケースの上面における平面視方形状の突出部が、第２貫通孔１９４に嵌装されるように構成されている。
第２貫通孔１９４に嵌装された第３切換装置ケースの突出部５４ａと第２貫通孔１９４の開口部との間には、殆ど隙間がないように構成されている。
第３切換装置５４の突出部は、環状部材１２に形成された第２貫通孔１９４より僅かに突き出ている。
【００３４】
連結部品６０は、コネクタの連結部品基板６２及び連結部品ケース６４を備える。
連結部品基板６２は、制御プログラムを、外部装置から、第１切換装置３０、第２切換装置４０及び第３切換装置５０の基板に送る機能を備える。
連結部品６０は、環状部材１２の内部に収納されている。
【００３５】
第２切換装置４０の第２切換装置ケース４４の左右の両端縁には、電気部品１６をベース部１００に取り付けるための電気部品取付部１２０が形成されている。
電気部品取付部１２０は、第２切換装置４０をベース部１００に取り付ける第２取付部１２２と、第３切換装置５０をベース部１００に取り付ける第３取付部１２４と、連結部品６０をベース部１００に取り付ける第４取付部１２６とは、取り付け構造が異なっている。
【００３６】
第２切換装置４０をベース部１００に取り付ける第２取付部１２２は、第２切換装置４０を環状部材１２の長手方向ないしは幅方向に若干移動可能に形成されている。
第２取付部１２２を構成する嵌め込み突部１３２の下側端部は、略円柱状の挟抱部を構成し、その直径は、第２切換装置４０の嵌め込み受け部１１０を構成する、１対の挟抱片の挟抱部分の間隔よりも、若干小さい。
第２取付部１２２を構成する嵌め込み突部１３２の上側端部は、U字型の柱状で、下側端部よりその幅は狭く、一対の挟抱片の開口部に挿入し易く形成している。
【００３７】
一方、第３切換装置５０をベース部１００に取り付ける第３取付部１２４及び連結部品６０をベース部１００に取り付ける第４取付部１２６は、ベース部１００の上において第３切換装置５０及び連結部品６０を移動しないように形成されている。
第３取付部１２４を構成する嵌め込み突部１３４及び第４取付部１２６を構成する嵌め込み突部１３６の中央部は、略円柱状の挟抱部を構成し、その直径は、第３切換装置５０を取り付ける第３取付部の嵌め込み受け部１１２及び連結部品６０を取り付ける第４取付部の嵌め込み受け部１１４を構成する、１対の挟抱片の挟抱部分の間隔と略同じである。
第３取付部１２４を構成する嵌め込み突部１３４及び第４取付部１２６を構成する嵌め込み突部１３６の上下端部は、Ｕ字型の柱状で、中央部よりその幅は短く、一対の挟抱片の開口部に挿入し易く形成している。
【００３８】
ベース部品２２は、取付本体部８０の先端部分に、電気部品１６を取り付けするためのベース部１００が連設されている。
ベース部１００の幅方向における端縁に、電気部品１６を取り付けるための電気部品取付部１０２が形成されている。電気部品取付部１０２は、第２切換装置４０を取り付ける第２取付部１０４と、第３切換装置５０を取り付ける第３取付部１０６と、連結部品６０を取り付ける第４取付部１０８とは、その構造が異なっている。
【００３９】
第２切換装置４０を取り付ける第２取付部１０４は、第２切換装置４０を、環状部材１２の長手方向ないしは幅方向に若干移動可能に取り付けられるように形成されている。第３切換装置５０を取り付ける第３取付部１０６及び連結部品６０を取り付ける第４取付部１０８は、第３切換装置５０及び連結部品６０を移動しないように形成されている。
【００４０】
第２切換装置を取り付ける第２取付部１０４は、ベース部１００より上方に向けて突き出された第２切換装置を取り付ける嵌め込み受け部１１０が、第２切換装置４０の第２切換装置ケース４４に突設された嵌め込み突部を緩合するように構成されている。
一方、第３切換装置を取り付ける第３取付部１０６は、ベース部１００より上方に向けて突き出された第３切換装置を取り付ける嵌め込み受け部１１２が、第３切換装置５０の第３切替装置ケース５４に突設された嵌め込み突部を固定するように構成されている。
また、連結部品を取り付ける第４取付部１０８は、ベース部１００より上方に向けて突き出された連結部品を取り付ける嵌め込み受け部１１４が、連結部品６０の連結部品ケース６４に突設された嵌め込み突部を固定するように構成されている。
【００４１】
第２切換装置を取り付ける第２取付部１０４は、ベース部１００より上方に向けて突き出された挟抱片を備えた第２切換装置の嵌め込み受け部１１０が、第２切換装置４０の第２切換装置ケース４４に突設された第２取付部１２２を構成する嵌め込み突部１３２を、緩合するように構成されている。
一方、第３切換装置５０を取り付ける第３切換装置を取り付ける第３取付部１０６及び連結部品６０を取り付ける連結部品を取り付ける第４取付部１０８は、ベース部１００より上方に向けて突き出された挟抱片を備えた嵌め込み受け部１１２及び突き出された挟抱片を備えた嵌め込み受け部１１４が、第３切換装置５０の第３切換装置ケース５４に突設された第３取付部１２４を構成する嵌め込み突部１３４及び連結部品６０の連結部品ケース６４に突設された第４取付部１２６を構成する嵌め込み突部１３６を、固定するように構成されている。
【００４２】
第２切換装置を取り付ける第２取付部１０４を形成する一対の挟抱片は、対向し、第２取付部１２２を構成する嵌め込み突部１３２を最初に受け入れる開口部分は狭く括れており、下側端頭部が中に入るに従って下側端部を挟み抱くように円弧状に広がった挟抱部分を備えている。
嵌め込み突部１３２は、第2切換装置を取り付ける第2取付部１０４を構成する左右１対の挟抱片の中に開口部より挿入されて、円弧状の挟抱部により挟持されて係合される。
第３切換装置を取り付ける第３取付部１０６を形成する一対の挟抱片は、対向し、第３取付部１２４を構成する嵌め込み突部１３４を最初に受け入れる開口部分は狭く括れており、下側端部が中に入るに従って下側端部を挟み抱くように円弧状に広がった挟抱部分を備えている。
嵌め込み突部１３４は、第3切換装置を取り付ける第３取付部１０６を構成する左右１対の挟抱片の中に開口部より挿入されて、円弧状の挟抱部により挟持されて係合される。
連結部品を取り付ける第４取付部１０８を形成する一対の挟抱片は、対向し、第４取付部１２６を構成する嵌め込み突部１３６を最初に受け入れる開口部分は狭く括れており、下側端部が中に入るに従って下側端部を挟み抱くように円弧状に広がった挟抱部分を備えている。
嵌め込み突部１３６は、連結部品を取り付ける第４取付部１０８を構成する左右１対の挟抱片の中に開口部より挿入されて、円弧状の挟抱部により挟持されて係合される。
【００４３】
この実施の形態においては、挟抱片は、第２取付部１２２を構成する嵌め込み突部１３２、第３取付部１２４を構成する嵌め込み突部１３４、第４取付部１２６を構成する嵌め込み突部１３６が、第２切換装置４０、第３切換装置５０及び連結部品６０の各ケース部の左右端縁において、前後一対ずつ配設されていることに対応して、ベース部１００の左右端縁において、前後一対ずつ配設されている。
この実施の形態においては、挟抱片は、ベース部１００に取り付けられる第２切換装置４０と第３切換装置５０と連結部品６０との間の間隔に対応して、嵌め込み突部１３２と嵌め込み突部１３４と嵌め込み突部１３６との左右及び前後における間隔が設けられている。
【００４４】
ベース部品２２を環状部材１２の環状部内に取り付けるとき、ベース部品２２の後端側を、環状部材１２の吐水ヘッド１４側の開口部に挿入し、ベース部品２２に固定された第３切換装置５０を第２貫通孔１９４に嵌合させ、その後手前側の第２切換装置４０を第1貫通孔１９２に緩挿させ、ベース部品２２を環状部材１２の所定位置に配設する。
【００４５】
図２及び３に示しているように、キャビネット２００の内部には一対の止水栓の間の位置においてバルブユニット（第１の本体部）（図示せず）が配設されている。
そしてこのバルブユニット（図示せず）の後述の水流入口に対して給水用の元配管（以下単に給水元管と略す）が止水栓（図示せず）、分岐継手（図示せず）及び接続ホース（図示せず）を介して接続されている。
また後述の湯流入口に対して給湯用の元配管（以下単に給湯元管と略す）が、止水栓（図示せず）及び接続ホース（図示せず）を介して接続されている。
このバルブユニットの水流出口及び湯流出口からは、水の供給管２３２及び湯の供給管２３０が上向きに延び出しており、それらの先端が上記の水栓の本体部１８０に接続されて、その水栓の本体部１８０に水，湯がそれぞれ供給されるようになっている。
【００４６】
水栓の本体部１８０には、混合弁１８４（図４図示）が内蔵されていて、その混合弁１８４の下流部から水又は湯（混合弁１８４で温調された湯）を流出させる剛性の流出管２３４が下向きに延び出して、電磁弁ユニット２１０に接続されており、電磁弁ユニット２１０から延び出した可撓性の給水管１８が環状部材１２を介して上記の吐水ヘッド１４に接続されている。
給水管１８は、ストッパ２４２を外装されており、ストッパ２４２により所定の装置で停止できるように構成されており、それから上向きに延び出した後、環状部材１２を挿通し吐水ヘッド１４に接続されている。
【００４７】
キャビネット２００の内部には、第１切換装置３０、第２切換装置４０、第３切換装置５０、連結部品６０及び電磁弁ユニット２１０に、電力を供給する電源基板２１２が設けられている。
電源基板２１２は、第１切換装置３０、第２切換装置４０、第３切換装置５０、連結部品６０及び電磁弁ユニット２１０を制御する制御装置を備えている。電磁弁ユニット２１０と電源基板２１２とは、コード２４０で電気的に接続されている。
【００４８】
図３及び４に示しているように、本実施形態においては、給水元管，給湯元管からの水，湯は、水の供給管２３２，湯の供給管２３０を通じて水栓の本体部１８０に内蔵された混合弁１８４に供給される。
供給された水と湯とはシングルレバーハンドル１８２の操作に基づいて所定比率で混合された上、同じくそのシングルレバーハンドル１８２の操作に基づいて決定された所定流量で、給水管１８を通じ吐水ヘッド１４に送られ、先端の吐水口７０から吐水される。
ここでシングルレバーハンドル１８２は、左右回動操作によって水と湯との混合比率の調節即ち温度調節を行い、また上下回動操作によって流量調節を行う。
【００４９】
以上のように、本発明の実施の形態は、前記記載で開示されているが、本発明は、これに限定されるものではない。
すなわち、本発明の技術的思想及び目的の範囲から逸脱することなく、以上説明した実施の形態に対し、機序、形状、材質、数量、位置又は配置等に関して、様々の変更を加えることができるものであり、それらは、本発明に含まれるものである。
【符号の説明】
【００５０】
１０  水栓装置
１２  環状部材
１４  吐水ヘッド
１６  電気部品
１８  給水管
２０  ケーブル
２２  ベース部品
３０  第１切換装置
３２  第１切換装置基板
３４  第１切換装置ケース
４０  第２切換装置
４２  第２切換装置基板
４４  第２切換装置ケース
４６  ボタン表面部材
５０  第３切換装置
５２  第３切換装置基板
５４  第３切換装置ケース
６０  連結部品
６２  連結部品基板
６４  連結部品ケース
７０  吐水口
８０  取付本体部
８２  ガイド部
８６  ホースガイド
９０  ケーブル保持部
９２  突出部
９４  ケーブル係止部
９６ａ  脚部
９６ｂ  脚部
９６ｃ  架設部
９８ａ  脚部
９８ｂ  頭部
１００  ベース部
１０２  電気部品取付部
１０４  第２切換装置を取り付ける第２取付部
１０６  第３切換装置を取り付ける第３取付部
１０８  連結部品を取り付ける第４取付部
１１０  第２切換装置を取り付ける第２取付部の嵌め込み受け部
１１２  第３切換装置を取り付ける第３取付部の嵌め込み受け部
１１４  連結部品を取り付ける第４取付部の嵌め込み受け部
１２０  電気部品取付部
１２２  第２取付部
１２４  第３取付部
１２６  第４取付部
１３２  嵌め込み突部
１３４  嵌め込み突部
１３６  嵌め込み突部
１８０  水栓の本体部
１８４  混合弁
１８２  シングルレバーハンドル
１８６  吐水管
１９０  貫通孔
１９２  第１貫通孔
１９４  第２貫通孔
２００  キャビネット
２０２  カウンター
２１０  電磁弁ユニット
２１２  電源基板
２１４  ＡＣアダプタ
２３０  湯の供給管
２３２  水の供給管
２３４  流出管
２４０  コード
２４２  ストッパ
【図１】
2020111972.tif 000003
【図２】
2020111972.tif 000004
【図３】
2020111972.tif 000005
【図４】
2020111972.tif 000006
【図５】
2020111972.tif 000007
【図６】
2020111972.tif 000008
【図７】
2020111972.tif 000009
【図８】
2020111972.tif 000010
【図９】
2020111972.tif 000011
【図１０】
2020111972.tif 000012
【図１１】
2020111972.tif 000013
【図１２】
2020111972.tif 000014
【図１３】
2020111972.tif 000015
【図１４】
2020111972.tif 000016
【図１５】
2020111972.tif 000017
【図１６】
2020111972.tif 000018